(57)【要約】      （修正有）【課題】高効率導光機能を有する組合せ式導光モジュールを提供する。【解決手段】複数の導光構造からなり、各導光構造は、導光本体ユニット１ａと反射微小構造ユニット２ａとを含み、導光本体ユニットは、導光部１０ａと、導光部の一方の側端に形成された少なくとも一つの凹状入射部１１ａと、導光部の平面に形成された収容部１２ａとを備える。反射微小構造ユニットは、前記収容部内にそれぞれ設置された複数の反射微小構造を有する。これらの導光構造を互いに接合することにより、これらの導光部を導光棒に、これらの凹状入射部を前記導光棒の一方の側端面に位置する入射用凹部に、且つ、これらの収容部を該導光棒内に画成される収容空間に組み合わせることができる。【選択図】図２Ｂ
2010107948.tif 000002
【特許請求の範囲】
【請求項１】
複数の導光構造からなる高効率導光機能を有する組合せ式導光モジュールであって、
各前記導光構造は、
導光部と、前記導光部の一方の側端に形成された少なくとも一つの凹状入射部と、前記導光部の平面に形成された収容部とを備える導光本体ユニットと、
前記収容部内にそれぞれ設置された複数の反射微小構造を有する反射微小構造ユニットと、を含み、
複数の前記導光構造を互いに接合することにより、前記導光部を導光棒に、前記凹状入射部を前記導光棒の一方の側端面に位置する入射用凹部に、且つ、前記収容部を前記導光棒内に画成される収容空間に組み合わせてなることを特徴とする高効率導光機能を有する組合せ式導光モジュール。
【請求項２】
各前記導光本体ユニットは、さらに、前記収容部内の一方の側端に形成された凸状入射部を備え、且つ、前記凸状入射部は、入射用突起に組み合わせられてなることを特徴とする請求項１に記載の高効率導光機能を有する組合せ式導光モジュール。
【請求項３】
各前記導光本体ユニットは、さらに、前記収容部内の両側端にそれぞれ形成された２つの凸状入射部を備え、且つ、前記凸状入射部は、２つの入射用突起に組み合わせられ、各前記入射用突起の形状は、半円弧状或いは半円錐状であることを特徴とする請求項１に記載の高効率導光機能を有する組合せ式導光モジュール。
【請求項４】
前記導光構造の数は２つであり、各前記導光部は、２つの側端面と、前記２つの側端面の間に位置する組合せ面と、前記２つの側端面の間に位置し且つ前記組合せ面に対応する出射面とを備え、前記少なくとも一つの凹状入射部は、一方の側端面と前記組合せ面との間に形成され、前記収容部は前記組合せ面に形成され、複数の前記導光構造は、前記組合せ面の接合により組み合わせられ、前記出射面は、円弧面或いは多角形の平面であることを特徴とする請求項１に記載の高効率導光機能を有する組合せ式導光モジュール。
【請求項５】
各前記導光本体ユニットは、さらに、他方の側端面と前記組合せ面との間に形成された凹状入射部を備え、且つ、前記他方の側端面と前記組合せ面との間に形成された凹状入射部は、もう一つの入射用凹部に組み合わせられ、各前記入射用凹部の形状は、半円弧状或いは半円錐状であることを特徴とする請求項４に記載の高効率導光機能を有する組合せ式導光モジュール。
【請求項６】
各前記導光部は、２つの側端面と、前記２つの側端面の間に位置する２つの組合せ面と、前記２つの側端面の間及び前記２つの組合せ面の間に位置する出射面とを備え、且つ、前記少なくとも一つの凹状入射部は、一方の側端面と前記２つの組合せ面との間に形成され、複数の前記導光構造を、前記組合せ面の接合により組み合わせてなることを特徴とする請求項１に記載の高効率導光機能を有する組合せ式導光モジュール。
【請求項７】
各前記反射微小構造の形状は、半球状、円柱状、三角柱状またはジグザグ状であり、且つ、前記反射微小構造の数、突出高さまたは密度は、前記入射用凹部から離れる方向に沿って徐々に増加していることを特徴とする請求項１に記載の高効率導光機能を有する組合せ式導光モジュール。
【請求項８】
第一導光部と、前記第一導光部の一方の側端に形成された少なくとも一つの第一凹状入射部と、前記第一導光部の平面に形成された第一収容部とを備える第一導光本体ユニットと、前記第一収容部内にそれぞれ設置された複数の反射微小構造を有する反射微小構造ユニットと、を含む第一導光構造と、
第二導光部と、前記第二導光部の一方の側端に形成された少なくとも一つの第二凹状入射部と、前記第二導光部の平面に形成された第二収容部とを備える第二導光本体ユニットを含む第二導光構造と、を含み、
少なくとも一つの前記第一導光構造及び少なくとも一つの前記第二導光構造を互いに接合することにより、前記第一導光部及び前記第二導光部を導光棒に、前記第一凹状入射部及び前記第二凹状入射部を前記導光棒の一方の側端面に位置する入射用凹部に、且つ、前記第一収容部及び前記第二収容部を前記導光棒内に画成される収容空間に組み合わせてなることを特徴とする高効率導光機能を有する組合せ式導光モジュール。
【請求項９】
複数の第一導光構造及び複数の第二導光構造からなる高効率導光機能を有する組合せ式導光モジュールであって、
各前記第一導光構造は、
第一導光部と、前記第一導光部の一方の側端に形成された少なくとも一つの第一凹状入射部と、前記第一導光部の平面に形成された第一収容部とを備える第一導光本体ユニットと、
前記第一収容部内にそれぞれ設置された複数の反射微小構造を有する反射微小構造ユニットと、を含み、
各前記第二導光構造は、
第二導光部と、前記第二導光部の一方の側端に形成された少なくとも一つの第二凹状入射部と、前記第二導光部の平面に形成された第二収容部とを備える第二導光本体ユニットを含み、
複数の前記第一導光構造及び複数の前記第二導光構造を互いに接合することにより、前記第一導光部及び前記第二導光部を導光棒に、前記第一凹状入射部及び前記第二凹状入射部を前記導光棒の一方の側端面に位置する入射用凹部に、且つ、前記第一収容部及び前記第二収容部を前記導光棒内に画成される収容空間に組み合わせてなることを特徴とする高効率導光機能を有する組合せ式導光モジュール。
【発明の詳細な説明】
【技術分野】
【０００１】
本発明は、導光モジュールに係り、特に、高効率導光機能を有する組合せ式導光モジュールに関するものである。
【背景技術】
【０００２】
従来の導光棒（Ｌｉｇｈｔ  Ｇｕｉｄｅ  ｏｒ  Ｌｉｇｈｔ  Ｐｉｐｅ）の設計では、通常、以下の５つの要件が考慮される。
【０００３】
一、光の入射端面（Ｌｉｇｈｔ  ｅｎｔｒａｎｃｅ  ｆａｃｅ）:
図１Ａおよび図１Ｂに示すように、光の進行方向が入射面に垂直である光線（Ｌ１０、Ｌ２０）の反射の割合が最も低い。従来の導光棒（図１Ａに示すように）の光入射端面Ｓ１は、常に、金型の作製コストに制約を受けるため、主に平面にする場合が多い。そのため、入射角度の大きい光線Ｌ１１は、大部分のエネルギーが導光棒Ｐ１に進入できない。導光棒Ｐ２（図１Ｂに示すように）の光入射端面Ｓ２を凹状の半球面に変ると、光線Ｌ２１の大部分のエネルギーが導光棒Ｐ２に進入できるようになる。しかし、金型の作製コストが明らかに上昇する。
【０００４】
二、光の出射端面（Ｌｉｇｈｔ  ｅｘｉｔ  ｅｎｄ  ｆａｃｅ）:
図１Ｃに示すように、従来の導光棒Ｐ３の光出射端面Ｓ３も、常に金型の作製コストに制約を受けるため、主に平面にする場合が多い。出射端面Ｓ３は、一般に光源から遠く離れているため、光の進行方向がほぼ出射端面Ｓ３に垂直となり、その結果、光線Ｌ３の大部分のエネルギーが導光棒Ｐ３から放出される。
【０００５】
図１Ｄに示すように、導光棒Ｐ４の光出射端面Ｓ４を凹状の半球面に変えると、光線Ｌ４が全反射現象を起こすので、光線Ｌ４のエネルギーが導光棒Ｐ４から完全に放出されることはない。しかし、金型の作製コストが明らかに上昇する。
【０００６】
三、導光棒本体（Ｌｉｇｈｔ  ｔｒａｎｓｌｕｃｅｎｔ  ｍｅｍｂｅｒ）:
導光棒の本体は、一般に、高密度かつ外観円滑な透明体である。一旦、光線が導光棒に進入すると、その進行方向が極めて大きく変えられること（例えば、微小な凹部または凸部による光の進行方向の変更）がない限り、光線が導光棒内で複数回の全反射現象を起こし、導光棒の端面まで至ると、端面との相対角度によって、全反射を継続するかまたは端面から漏れ出していく。
【０００７】
四、反射微小構造（Ｌｉｇｈｔ  ｒｅｆｌｅｃｔｉｎｇ  ｏｒ  ｄｉｆｆｕｓｉｎｇ  ｓｔｒｕｃｔｕｒｅ）:
金型の作製コストを考慮すると、図１Ｆの微小構造Ｃ６は、金型に対しては凹部の設計で済むので、図１Ｇの微小構造Ｃ７より作製し易くなる。
【０００８】
図１Ｅ及び図１Ｆを比較すると、光線Ｌ５１、Ｌ５２及びＬ６１、Ｌ６２は、微小構造Ｃ５、Ｃ６の鋸歯形状により進行方向が変わるとともに導光棒Ｐ５、Ｐ６から漏れ出している。光線Ｌ５３も、微小構造Ｃ５の鋸歯形状により進行方向が変わるとともにＬ５１、Ｌ５２の間で、導光棒Ｐ５から漏れ出している。しかし、光線Ｌ６３は、全反射の形式で導光棒Ｐ６内を引き続き進行し、直に導光棒Ｐ６から漏れ出すことはない。
【０００９】
図１Ｅ及び図１Ｇを比較すると、光線Ｌ７１、Ｌ７２またはＬ７４は、光線Ｌ５１、Ｌ５２またはＬ５４よりも、入射端面から離れた位置で、微小構造Ｃ７、Ｃ５の鋸歯形状により進行方向が変えられ、導光棒Ｐ７、Ｐ５から漏れ出している。光線Ｌ７５も、全反射の形式で導光棒Ｐ７内を引き続き進行し、直に導光棒Ｐ７から漏れ出すことはない。しかし、光線Ｌ５５は、Ｌ５４の前で、微小構造Ｃ５の鋸歯形状により進行方向が変えられ、導光棒Ｐ５から漏れ出している。
【００１０】
図１Ｆ及び図１Ｇを比較すると、鋸歯形状をなす微小構造の数が同一である場合、図１Ｆの微小構造Ｃ６の鋸歯形状が全反射面より外側に位置するので、鋸歯形状をなす微小構造Ｃ６の有効反射面積は、図１Ｇの鋸歯形状をなす微小構造Ｃ７の有効反射面積よりも小さい。そのため、図１Ｇの鋸歯形状をなす微小構造Ｃ７は、より好ましい光漏れ出し効果を有するが、金型の作製コストも上昇する。
【００１１】
五、反射光が実際に適用される出光面（Ｌｉｇｈｔ  ｅｘｉｔ  ｆａｃｅ）:
一般に、反射微小構造が存在する収容平面、或いは、反射微小構造に平行し且つこれに対応する本体の他の平面を指す。
【発明の概要】
【発明が解決しようとする課題】
【００１２】
本発明が解決しようとする課題は、高効率導光機能を有する組合せ式導光モジュールを提供することにある。本発明は、望ましい用途毎に、異なる導光要求（例えば、異なる出射角度、出射光のパワーの大きさ及び方向）に応じて、異なる反射微小構造が設計された導光構造を自由に組み合わせ、クライアントの要求に容易に対応できる。言い換えれば、本発明の組合せ式導光モジュールは、複数の互いに対応する導光構造より構成され、これらの導光構造は、複数の反射微小構造をともに備えていてもよく、或いは、一部の導光構造が反射微小構造を備えていてもかまわない。そのため、本発明は、必要とする金型のコストを大きく削減でき、且つ、組合せ設計の自由度が高いので、クライアントの要求により確実に対応できる。
【課題を解決するための手段】
【００１３】
前記技術問題を解決するために、本発明の一つの案による高効率導光機能を有する組合せ式導光モジュールは、複数の導光構造からなり、各導光構造は、導光本体ユニットと反射微小構造ユニットとを含む。ここで、前記導光本体ユニットは、導光部と、前記導光部の一方の側端に形成された少なくとも一つの凹状入射部と、前記導光部の平面に形成された収容部とを備える。前記反射微小構造ユニットは、前記収容部内にそれぞれ設置された複数の反射微小構造を有する。よって、これらの導光構造を互いに接合することにより、これらの導光部を導光棒に、これらの凹状入射部を前記導光棒の一方の側端面に位置する入射用凹部に、且つ、これらの収容部を該導光棒内に画成される収容空間に組み合わせることができる。
【００１４】
所定目的を達成するため採用した本発明の技術、方法及び効果をより詳しく理解するために、以下に本発明に関わる詳細な説明及び添付図面を参照するが、それらの添付図面が参考及び説明のみに使われ、本発明の請求の範囲を限定的に減縮するものではないことは言うまでもないことである。
【図面の簡単な説明】
【００１５】
【図１Ａ】従来の第一種類目の導光棒を示す図である。
【図１Ｂ】従来の第二種類目の導光棒を示す図である。
【図１Ｃ】従来の第三種類目の導光棒を示す図である。
【図１Ｄ】従来の第四種類目の導光棒を示す図である。
【図１Ｅ】従来の第五種類目の導光棒を示す図である。
【図１Ｆ】従来の第六種類目の導光棒を示す図である。
【図１Ｇ】従来の第七種類目の導光棒を示す図である。
【図２Ａ】本発明に係る高効率導光機能を有する組合せ式導光モジュールの導光構造の第一実施例の側面図である。
【図２Ｂ】本発明に係る高効率導光機能を有する組合せ式導光モジュールの第一実施例の分解斜視図である。
【図２Ｃ】本発明に係る高効率導光機能を有する組合せ式導光モジュールの第一実施例の斜視図である。
【図２Ｄ】図２Ｃの２Ｄ−２Ｄの断面図である。
【図２Ｅ】図２Ｄの２Ｅの部分拡大図である。
【図３】本発明に係る高効率導光機能を有する組合せ式導光モジュールの第二実施例の部分拡大図である。
【図４】本発明に係る高効率導光機能を有する組合せ式導光モジュールの第三実施例の斜視図である。
【図５】本発明に係る高効率導光機能を有する組合せ式導光モジュールの第四実施例の斜視図である。
【図６Ａ】本発明に係る高効率導光機能を有する組合せ式導光モジュールの第五実施例の分解斜視図である。
【図６Ｂ】本発明に係る高効率導光機能を有する組合せ式導光モジュールの第五実施例の斜視図である。
【図６Ｃ】図６Ｂの６Ｃ−６Ｃの断面図である。
【図６Ｄ】図６Ｃの６Ｄの部分拡大図である。
【図７】本発明に係る高効率導光機能を有する組合せ式導光モジュールの第六実施例の斜視図である。
【発明を実施するための形態】
【００１６】
図２Ａ〜図２Ｅに示すように、本発明の第一実施例は、２つの導光構造Ａからなる高効率導光機能を有する組合せ式導光モジュールを提供する。
【００１７】
ここで、各導光構造Ａは、導光本体ユニット１ａと反射微小構造ユニット２ａとを含む。導光本体ユニット１ａは、導光部１０ａと、導光部１０ａの両側端にそれぞれ形成された２つの凹状入射部１１ａと、導光部１０ａの平面に形成された収容部１２ａと、収容部１２ａ内の両側端にそれぞれ形成された２つの凸状入射部１３ａとを備える。また、各導光構造Ａは、その形状が全く同一であるため、各導光構造Ａは、同一の金型で作製できるので、本発明は、金型のコストを大幅に削減できる。
【００１８】
異なる設計要求に応じて、各導光構造Ａは、導光部１０ａ中の一方の側端に形成された一つの凹状入射部１１ａと、収容部１２ａ内の一方の側端に形成された一つの凸状入射部１３ａとのみを使用することも可能である。そのため、本発明の凹状入射部１１ａ及び凸状入射部１３ａの数及び設計位置は、異なる使用用途に応じて調整できる。
【００１９】
各導光部１０ａは、２つの側端面（１００ａ、１０１ａ）と、前記２つの側端面（１００ａ、１０１ａ）の間に位置する組合せ面１０２ａと、前記２つの側端面（１００ａ、１０１ａ）の間に位置し且つ該組合せ面１０２ａに対応する出射面１０３ａとを備える。ここで、一つの凹状入射部１１ａは、一方の側端面１００ａと組合せ面１０２ａとの間に形成され、もう一つの凹状入射部１１ａは、他方の側端面１０１ａと組合せ面１０２ａとの間に形成されている。収容部１２ａは組合せ面１０２ａに形成され、すなわち、収容部１２ａは、組合せ面１０２ａから凹没して凹状の反射平面を形成し、且つ、該反射平面は、異なる光の均一度及び輝度の要求に応じて異なる形状の設計を行える。また、出射面１０３ａは、円弧面或いは多角形の平面（複数の平面が所定角度で連結されたような面）であればよい、第一実施例では、該出射面１０３ａは、円弧面である。そのため、光ビーム（図示せず）が出射面１０３ａを透過して出射されると、該光ビームが出射面１０３ａの円弧形表面を透過して集光する効果が生じる。
【００２０】
また、反射微小構造ユニット２ａは、複数の反射微小構造２０ａを有している。ここで、各反射微小構造２０ａの形状は、半球状、円柱状、三角柱状またはジグザグ状のいずれであっても良いが、第一実施例の場合、各反射微小構造２０ａの形状は、半球状である。
【００２１】
図２Ｂ〜図２Ｄに示すように、前記２つの導光構造Ａは、組合せ面１０２ａの接合により互いに接合されて、一体に組み立てられる。これにより、前記２つの導光部１０ａを導光棒Ｌａに、前記４つの凹状入射部１１ａを導光棒Ｌａの両側端面に位置する２つの入射用凹部Ｃａに、前記２つの収容部１２ａを導光棒Ｌａ内に画成される収容空間Ｒａに、且つ、前記４つの凸状入射部１３ａを収容空間Ｒａ内に位置する２つの入射用突起Ｂａに組み合わせることができる。また、各入射用凹部Ｃａの形状は、半円弧状或いは半円錐状で、且つ、各入射用突起Ｂａの形状は、半円弧状或いは半円錐状である。第一実施例の場合、各入射用凹部Ｃａの形状と各入射用突起Ｂａの形状は、半円弧状である。また、これらの反射微小構造２０ａの数、突出高さまたは密度は、前記２つの入射用凹部Ｃａから離れる方向に沿って徐々に増加しており、均一に光を出射するように制御する目的を達成し、且つ、これらの反射微小構造２０ａは、各導光構造Ａの収容空間Ｒａ内に設けられる。
【００２２】
図２Ｅに示すように、光源（例えば、発光ダイオード）が入射用凹部Ｃａの一方の側端に設けられると、該発光ダイオードが発した光ビーム（Ｌ１ａ、Ｌ２ａ）は、入射用凹部Ｃａ及び入射用突起Ｂａの組合せにより、収容空間Ｒａ内に効率的に導入される。さらに、光ビームＬ１ａは、一つの反射微小構造ユニット２ａの反射微小構造２０ａにより、対向面に反射されて、対応する出射面１０３ａから外へ出射されるとともに、光ビームＬ２ａは、もう一つの反射微小構造ユニット２ａの反射微小構造２０ａにより、対向面に反射されて、もう一つの対応する出射面１０３ａから外へ出射される。
【００２３】
図３に示すように、第二実施例の第一実施例との最も大きな違いは、第二実施例では、各入射用凹部Ｃｂの形状と各入射用突起Ｂｂの形状は半円錐状であり、且つ、各反射微小構造２０ｂの形状は円柱状である点である。
【００２４】
図４に示すように、出射面１０３ｃは、多角形の平面である。そのため、光ビーム（図示せず）が出射面１０３ｃを透過して出射されると、該光ビームが出射面１０３ｃの多角形の表面を透過して集光する効果が生じる。
【００２５】
図５に示すように、第四実施例の第一実施例との最も大きな違いは、第四実施例では、高効率導光機能を有する組合せ式導光モジュールは、４つの導光構造Ｄからなる点である。言い換えれば、異なる出射光角度の大きさ及び方向に応じて、本発明に掲示された高効率導光機能を有する組合せ式導光モジュールは、２つ以上の導光構造からなる。
【００２６】
また、２つ以上の導光構造について、各導光部１ｄは、２つの側端面（１００ｄ、１０１ｄ）と、前記２つの側端面（１００ｄ、１０１ｄ）の間に位置する２つの組合せ面１０２ｄと、前記２つの側端面（１００ｄ、１０１ｄ）の間及び該２つの組合せ面１０２ｄの間に位置する出射面１０３ｄとを備え、且つ、該少なくとも一つの凹状入射部１１ｄは、一方の側端面１０１ｄと２つの組合せ面１０２ｄとの間に形成され、また、これらの導光構造Ｄは、これらの組合せ面１０２ｄの接合により組み合わせられる。
【００２７】
図６Ａ〜図６Ｄに示すように、本発明の第五実施例は、第一導光構造Ｅ及び第二導光構造Ｅ’からなる高効率導光機能を有する組合せ式導光モジュールを提供する。
【００２８】
ここで、第一導光構造Ｅは、第一導光本体ユニット１ｅと反射微小構造ユニット２ｅとを含む。第一導光本体ユニット１ｅは、第一導光部１０ｅと、第一導光部１０ｅの両側端にそれぞれ形成された２つの第一凹状入射部１１ｅと、第一導光部１０ｅの平面に形成された第一収容部１２ｅと、第一収容部１２ｅ内の両側端にそれぞれ形成された２つの第一凸状入射部１３ｅとを備える。
【００２９】
また、第一導光構造Ｅ’は、第二導光本体ユニット１ｅ’を含む。第二導光本体ユニット１ｅ’は、第二導光部１０ｅ’と、第二導光部１０ｅ’の両側端にそれぞれ形成された２つの第二凹状入射部１１ｅ’と、第二導光部１０ｅ’の平面に形成された第二収容部１２ｅ’と、第二収容部１２ｅ’内の両側端にそれぞれ形成された２つの第二凸状入射部１３ｅ’とを備える。また、第一導光構造Ｅに、反射微小構造ユニット２ｅが形成される前において、第一導光構造Ｅ及び第二導光構造Ｅ’の形状は、全く同じであるため、第一導光構造Ｅ及び第二導光構造Ｅ’は、同一の金型で作製できるので、本発明は、金型のコストを大幅に削減できる。
【００３０】
異なる設計要求に応じて、第一導光構造Ｅは、第一導光部１０ｅ中の一方の側端に形成された一つの第一凹状入射部１１ｅと、第一収容部１２ｅ内の一方の側端に形成された一つの第一凸状入射部１３ｅとのみを使用することも可能であり、第二導光構造Ｅ’は、第二導光部１０ｅ’中の一方の側端に形成された一つの第二凹状入射部１１ｅ’と、第二収容部１２ｅ’内の一方の側端に形成された一つの第二凸状入射部１３ｅ’とのみを使用することも可能である。そのため、本発明の第一凹状入射部１１ｅ、第一凸状入射部１３ｅ、第二凹状入射部１１ｅ’及び第二凸状入射部１３ｅ’の数及び設計位置は、異なる使用用途に応じて調整できる。
【００３１】
また、第一導光部１０ｅは、２つの第一側端面（１００ｅ、１０１ｅ）と、前記２つの第一側端面（１００ｅ、１０１ｅ）の間に位置された第一組合せ面１０２ｅと、前記２つの第一側端面（１００ｅ、１０１ｅ）の間に位置し且つ該第一組合せ面１０２ｅに対応する第一出射面１０３ｅとを備える。ここで、一つの第一凹状入射部１１ｅは、第一側端面１００ｅと第一組合せ面１０２ｅとの間に形成され、もう一つの第一凹状入射部１１ｅは、第一側端面１０１ｅと第一組合せ面１０２ｅとの間に形成されている。第一収容部１２ｅは第一組合面１０２ｅに形成され、すなわち、第一収容部１２ｅは、第一組合せ面１０２ｅから凹没して凹状の第一反射平面を形成し、且つ、該第一反射平面は、異なる光の均一度及び輝度の要求に応じて異なる形状の設計を行える。また、第一出射面１０３ｅは、円弧面或いは多角形の平面であればよく、第五実施例では、該第一出射面１０３ｅは、円弧面である。そのため、光ビーム（図示せず）が第一出射面１０３ｅを透過して出射されると、該光ビームが第一出射面１０３ｅの円弧形表面を透過して集光する効果が生じる。
【００３２】
また、第二導光部１０ｅ’は、２つの第二側端面（１００ｅ’、１０１ｅ’）と、前記２つの第二側端面（１００ｅ’、１０１ｅ’）の間に位置する第二組合せ面１０２ｅ’と、前記２つの第二側端面（１００ｅ’、１０１ｅ’）の間に位置し且つ該第二組合せ面１０２ｅ’に対応する第二出射面１０３ｅ’とを備える。ここで、一つの第二凹状入射部１１ｅ’は、第二側端面１００ｅ’と第二組合せ面１０２ｅ’との間に形成され、もう一つの第二凹状入射部１１ｅ’は、第二側端面１０１ｅ’と第二組合せ面１０２ｅ’との間に形成されている。第二収容部１２ｅ’は第二組合せ面１０２ｅ’に形成されている。すなわち、第二収容部１２ｅ’は、第二組合せ面１０２ｅ’から凹没して凹状の第二反射平面を形成し、且つ、該第二反射平面は、異なる光の均一度及び輝度の要求に応じて異なる形状の設計を行える。また、第二出射面１０３ｅ’は、円弧面或いは多角形の平面であればよく、第五実施例では、該第二出射面１０３ｅ’は、円弧面である。そのため、光ビーム（図示せず）が第二出射面１０３ｅ’を透過して出射されると、該光ビームが第二出射面１０３ｅ’の円弧形表面を透過して集光する効果が生じる。
【００３３】
また、反射微小構造ユニット２ｅは、複数の反射微小構造２０ｅを有している。ここで、各反射微小構造２０ｅの形状は、半球状、円柱状、三角柱状またはジグザグ状のいずれであっても良いが、第五実施例の場合、各反射微小構造２０ｅの形状は、半球状である。
【００３４】
図６Ａ〜図６Ｃに示すように、前記第一導光構造Ｅ及び第二導光構造Ｅ’は、第一組合せ面１０２ｅ及び第二組合せ面１０２ｅ’の接合により互いに接合されて、一体に組み立てられる。これにより、前記第一導光部１０ｅ及び第二導光部１０ｅ’を導光棒Ｌｅに、前記２つの第一凹状入射部１１ｅ及び２つの第二凹状入射部１１ｅ’を導光棒Ｌｅの両側端面に位置する２つの入射用凹部Ｃｅに、前記第一収容部１２ｅ及び第二収容部１２ｅ’を導光棒Ｌｅ内に画成される収容空間Ｒｅに、且つ、前記２つの第一凸状入射部１３ｅ及び２つの第二凸状入射部１３ｅ’を収容空間Ｒｅ内に位置する２つの入射用突起Ｂｅに組み合わせることができる。また、各入射用凹部Ｃｅの形状は、半円弧状或いは半円錐状で、且つ、各入射用突起Ｂｅの形状は、半円弧状或いは半円錐状である。第五実施例の場合、各入射用凹部Ｃｅの形状と各入射用突起Ｂｅの形状は、半円弧状である。また、これらの反射微小構造２０ｅの数、突出高さまたは密度は、前記２つの入射用凹部Ｃｅから離れる方向に沿って徐々に増加しており、且つ、これらの反射微小構造２０ｅは、該収容空間Ｒｅ内に設けられる。
【００３５】
図６Ｄに示すように、光源（例えば、発光ダイオード）が入射用凹部Ｃｅの一方の側端に設けられると、該発光ダイオードが発した光ビームＬ１ｅは、入射用凹部Ｃｅ及び入射用突起Ｂｅの組合せにより、収容空間Ｒｅ内に効率的に導入され、さらに反射微小構造ユニット２ｅの反射微小構造２０ｅにより、対向面に反射されて、対応する第二出射面１０３ｅ’から外へ出射される。
【００３６】
図７は、本発明に係る高効率導光機能を有する組合せ式導光モジュールの第六実施例の斜視図である。上記図から分かるように、第六実施例の第五実施例との最も大きな違いは、第六実施例では、高効率導光機能を有する組合せ式導光モジュールは、２つの第一導光構造Ｆ及び２つの第二導光構造Ｆ’からなり、ここで、２つの第一導光構造Ｆは、反射微小構造ユニット（図示せず）（第五実施例の第一導光構造Ｅの反光微構造ユニット２ｅと同じようなもの）を有し、且つ、２つの第二導光構造Ｆ’には、如何なる反光微構造ユニット（第五実施例の第二導光構造Ｅ’のような反射微小構造ユニットを備えていない）も設置していない点である。言い換えれば、異なる出射光角度の大きさ及び方向に応じて、本発明に掲示された高効率導光機能を有する組合せ式導光モジュールは、２つ以上の第一導光構造Ｆ及び第二導光構造Ｆ’からなる。例えば、第六実施例では、如何なる反射微小構造ユニットも備えていない第二導光構造Ｆ’の出射面１０３ｆ’は、最後の光源からの光ビームが投射される表面である。言い換えれば、光源からの光ビームは、最後に前記２つの出射面１０３ｆ’から投射される。
【００３７】
しかし、前記発明の特徴は、本発明を限定するものではなく、いずれの当該技術に習熟する当業者が本発明の分野において、容易に推認できる変更や修飾は、ともに本発明の請求の範囲に包含されるべきことは言うまでもないことである。
【符号の説明】
【００３８】
Ｐ１                導光棒
Ｓ１                入射端面
Ｌ１０、Ｌ１１      光ビーム線
Ｐ２                導光棒
Ｓ２                入射端面
Ｌ２０、Ｌ２１      光ビーム
Ｐ３                導光棒
Ｓ３                出射端面
Ｌ３                光ビーム
Ｐ４                導光棒
Ｓ４                出射端面
Ｌ４                光ビーム
Ｐ５                導光棒
Ｃ５                微小構造
Ｌ５１〜Ｌ５５      光ビーム
Ｐ６                導光棒
Ｃ６                微小構造
Ｌ６１〜Ｌ６３      光ビーム
Ｐ７                導光棒
Ｃ７                微小構造
Ｌ７１、Ｌ７２、Ｌ７４、Ｌ７５  光ビーム
Ａ                  導光構造
１ａ                導光本体ユニット
２ａ                反射微小構造ユニット
１０ａ              導光部
１１ａ              凹状入射部
１２ａ              収容部
１３ａ              凸状入射部
１００ａ、１０１ａ  側端面
１０２ａ            組合せ面
１０３ａ            出射面
２０ａ              反射微小構造
Ｌａ                導光棒
Ｃａ                入射用凹部
Ｒａ                収容空間
Ｂａ                入射用突起
Ｌ１ａ、Ｌ２ａ      光ビーム
２０ｂ              反射微小構造
Ｃｂ                入射用凹部
Ｂｂ                入射用突起
１０３ｃ            出射面
Ｄ                  導光構造
１ｄ                導光部
１００ｄ、１０１ｄ  側端面
１０２ｄ            組合せ面
１０３ｄ            出射面
１１ｄ              凹状入射部
Ｅ                  第一導光構造
Ｅ’                第二導光構造
１ｅ                第一導光本体ユニット
２ｅ                反射微小構造ユニット
１０ｅ              第一導光部
１１ｅ              第一凹状入射部
１２ｅ              第一収容部
１３ｅ              第一凸状入射部
１００ｅ、１０１ｅ  第一側端面
１０２ｅ            第一組合せ面
１０３ｅ            第一出射面
１ｅ’              第二導光本体ユニット
１０ｅ’            第二導光部
１１ｅ’            第二凹状入射部
１２ｅ’            第二収容部
１３ｅ’            第二凸状入射部
１１ｅ’            第二凹状入射部
１２ｅ’            第二収容部
１３ｅ’            第二外凸入射部
１００ｅ’、１０１ｅ’  第二側端面
１０２ｅ’          第二組合せ面
１０３ｅ’          第二出射面
２ｅ                反射微小構造ユニット
２０ｅ              反射微小構造
Ｌｅ                導光棒
Ｃｅ                入射用凹部
Ｒｅ                収容空間
Ｂｅ                入射用突起
Ｌ１ｅ              光ビーム
Ｆ                  第一導光構造
Ｆ’                第二導光構造
１０３ｆ’          出射面
【図１Ａ】
2010107948.tif 000003
【図１Ｂ】
2010107948.tif 000004
【図１Ｃ】
2010107948.tif 000005
【図１Ｄ】
2010107948.tif 000006
【図１Ｅ】
2010107948.tif 000007
【図１Ｆ】
2010107948.tif 000008
【図１Ｇ】
2010107948.tif 000009
【図２Ａ】
2010107948.tif 000010
【図２Ｂ】
2010107948.tif 000011
【図２Ｃ】
2010107948.tif 000012
【図２Ｄ】
2010107948.tif 000013
【図２Ｅ】
2010107948.tif 000014
【図３】
2010107948.tif 000015
【図４】
2010107948.tif 000016
【図５】
2010107948.tif 000017
【図６Ａ】
2010107948.tif 000018
【図６Ｂ】
2010107948.tif 000019
【図６Ｃ】
2010107948.tif 000020
【図６Ｄ】
2010107948.tif 000021
【図７】
2010107948.tif 000022